(57)【要約】【課題】  バストを美感よく造形する。【解決手段】  人体の胸部に対応する一対のカップ部１０を備え、一対のカップ部１０の少なくともいずれか一方は補強体１３を有し、下端がカップ頂上Ｔより胸部の内寄りに位置し、上端がカップ頂上Ｔより胸部の外寄りに位置するとともに、カップ頂上Ｔを胸部の外寄りに迂回する境界にて区分される、胸部の内寄り側を占める第１の領域１０ａ及び胸部の外寄り側を占める第２の領域１０ｂに区画され、補強体１３は、第１の領域１０ａと第２の領域１０ｂとの境界に沿って延在し、第２の領域１０ｂは第１の領域１０ａより伸縮性が小さい、ブラジャー１。【選択図】  図１
2016079508.tif 000002
【特許請求の範囲】
【請求項１】
人体の胸部に対応する一対のカップ部を備え、
前記一対のカップ部の少なくともいずれか一方は主補強体を有し、
前記一対のカップ部の前記一方は、
下端がカップ頂上より胸部の内寄りに位置し、上端が前記カップ頂上より胸部の外寄りに位置するとともに、前記カップ頂上を胸部の外寄りに迂回する境界にて区分される、胸部の内寄り側を占める第１の領域及び胸部の外寄り側を占める第２の領域に区画され、
前記主補強体は、前記境界に沿って延在し、
前記第２の領域は前記第１の領域より伸縮性が小さい、
カップ付き衣類。
【請求項２】
前記主補強体は、前記第１の領域及び前記第２の領域の前記境界に近接若しくは隣接して、又は前記境界に跨って形成されている、
請求項１に記載のカップ付き衣類。
【請求項３】
前記主補強体は、前記第２の領域上に配置され、前記境界と側縁が一致する帯状の部材である、
請求項１又は２に記載のカップ付き衣類。
【請求項４】
前記第２の領域上に前記主補強体と平行をなすよう配置された単数又は複数の副補強体を備えた、
請求項１から３のいずれかに記載のカップ付き衣類。
【請求項５】
前記主補強体又は前記副補強体は、保護スリーブと、前記保護スリーブに収容され、少なくとも前記カップ部の表面に対する接線方向に弾性を有する芯材とを有する、
請求項１から４のいずれかに記載のカップ付き衣類。
【請求項６】
前記芯材はスパイラルボーンである、請求項５に記載のカップ付き衣類。
【請求項７】
前記カップ体は、前記第１の領域及び前記第２の領域に対応した形状を有するカップ基材と、前記第２の領域に対応した形状を有し、前記カップ基材に接合される当て布材とを有し、
前記当て布材は、前記カップ基材よりも伸縮性が小さい、
請求項１から６のいずれかに記載のカップ付き衣類。
【請求項８】
ハーフカップブラジャーである、
請求項１から７のいずれかに記載のカップ付き衣類。
【発明の詳細な説明】
【技術分野】
【０００１】
本発明は、例えばブラジャーとして実施されるカップ付き衣類に関する。
【背景技術】
【０００２】
下着類において女性用のファウンデーションは保温、衛生の維持のみならず、それを着用する者の体型を調整し、美感を強調する機能を有する。特にブラジャーは、バストを美感よく造形することを目的として、バストを上げる、寄せる等の機能を向上させるべく、種々の技術が提案されている。
【０００３】
そのような技術の一例として、特許文献１には、カップ布に湾曲した弾性的なＶ字形の骨材を配設した構成を開示しており、これにより、カップ布に上下方向の形状安定性が付与され、バストの形状を円錐形に保持するとされている（例えば図１等を参照）。
【先行技術文献】
【特許文献】
【０００４】
【特許文献１】特開平７−２５２７０４号公報
【発明の概要】
【発明が解決しようとする課題】
【０００５】
しかしながら、上記従来のブラジャーにおいては、以下のような課題があった。すなわち、Ｖ字形の骨材が配設されたカップ布によるバストの支持は、バストを胸に向かって圧迫させることはできても、十分に上げることはできない。したがって、バストを美感よく造形することは困難であった。
【０００６】
本発明は、上記の課題に鑑みてなされたものであり、バストを美感よく造形することが可能なカップ付き衣類を提供することを目的とする。
【課題を解決するための手段】
【０００７】
上記の目的を達成するために、本発明の第１の側面は、人体の胸部に対応する一対のカップ部を備え、前記一対のカップ部の少なくともいずれか一方は主補強体を有し、前記一対のカップ部の前記一方は、下端がカップ頂上より胸部の内寄りに位置し、上端が前記カップ頂上より胸部の外寄りに位置するとともに、前記カップ頂上を胸部の外寄りに迂回する境界にて区分される、胸部の内寄り側を占める第１の領域及び胸部の外寄り側を占める第２の領域に区画され、前記主補強体は、前記境界に沿って延在し、前記第２の領域は前記第１の領域より伸縮性が小さい、カップ付き衣類である。
【０００８】
本発明の第２の側面は、前記主補強体は、前記第１の領域及び前記第２の領域の前記境界に近接若しくは隣接して、又は前記境界に跨って形成されている、本発明の第１の側面のカップ付き衣類である。
【０００９】
本発明の第３の側面は、前記主補強体は、前記第２の領域上に配置され、前記境界と側縁が一致する帯状の部材である、本発明の第１又は第２の側面のカップ付き衣類である。
【００１０】
本発明の第４の側面は、前記第２の領域上に前記主補強体と平行をなすよう配置された単数又は複数の副補強体を備えた、本発明の第１から第３のいずれかの側面のカップ付き衣類である。
【００１１】
本発明の第５の側面は、前記主補強体又は前記副補強体は、保護スリーブと、前記保護スリーブに収容され、少なくとも前記カップ部の表面に対する接線方向に弾性を有する芯材とを有する、本発明の第１から第４のいずれかの側面のカップ付き衣類である。
【００１２】
本発明の第６の側面は、前記芯材はスパイラルボーンである、本発明の第５の側面のカップ付き衣類である。
【００１３】
本発明の第７の側面は、前記カップ部は、前記第１の領域及び前記第２の領域に対応した形状を有するカップ基材と、前記第２の領域に対応した形状を有し、前記カップ基材に接合される当て布材とを有し、前記当て布材は、前記カップ基材よりも伸縮性が小さい、本発明の第１から第６のいずれかの側面のカップ付き衣類である。
【００１４】
本発明の第８の側面は、ハーフカップブラジャーである、本発明の第１から第７のいずれかの側面のカップ付き衣類である。
【発明の効果】
【００１５】
以上のような本発明は、カップ付き衣類においてバストを美感よく造形することが可能になるという効果を奏する。
【図面の簡単な説明】
【００１６】
【図１】本発明の実施の形態に係るブラジャーの構成を示す斜視図
【図２】本発明の実施の形態に係るブラジャーのカップ部の構成を示す分解斜視図
【図３】（ａ）本発明の実施の形態に係るブラジャーのカップ部の構成を示す正面図（ｂ）本発明の実施の形態に係るブラジャーのカップ部の構成を示す底面図
【図４】（ａ）本発明の実施の形態に係るブラジャーの補強体の構成を示す斜視図（ｂ）本発明の実施の形態に係るブラジャーの芯材の構成を示す斜視図
【図５】本発明の実施の形態に係るブラジャーのカップ部の作用効果を説明するための図
【図６】本発明の実施の形態に係るブラジャーのカップ部の作用効果を説明するための図
【図７】（ａ）本発明の実施の形態に係るブラジャーのカップ部の他の構成例を示す図（ｂ）本発明の実施の形態に係るブラジャーのカップ部の他の構成例を示す図（ｃ）本発明の実施の形態に係るブラジャーのカップ部の他の構成例を示す図
【図８】本発明の実施の形態に係るブラジャーの他の構成例を示す図
【発明を実施するための形態】
【００１７】
以下、本発明の実施の形態について、図面を参照しながら説明する。
【００１８】
図１は、本発明の実施の形態に係る、ハーフカップのストラップレスブラジャーであるブラジャー１の構成を示す斜視図である。
【００１９】
図１に示すように、ブラジャー１は、使用者のバストに対応する一対のカップ部１０、一対のカップ部１０の内側の端部同士が正対する位置にて設けられ、カップ部１０同士を結合する前中心部２０ａ、使用者の腋に対応して一対のカップ部１０のそれぞれの外側の端部に位置する腋布部２０ｂ、及び、使用者の背中に対応して腋布部２０ｂから延出し、図示しない両端がホック等の周知の技術的手段により脱着自在に結合されるバック部２０ｃを主要素として構成される。なお、前中心部２０ａ、腋布部２０ｂ及びバック部２０ｃは一枚の生地である土台布の各部位として構成される。土台布は、一例として、ポリエステル、ナイロン等の織布を材料として用いることができる。
【００２０】
一対のカップ部１０と土台布の上側の縁は、図中点線を境界とする縫着領域２０ｘをかがり縫い等することにより縫着される。また、一対のカップ部１０と土台布の下側の縁は、布製の下縁部２０ｙにより被覆された状態で縫着される。さらに、腋布部２０ｂと一対のバック部２０ｃとの間には、カップ部１０を補助してバストを安定して保持するためのサイドボーン２２が縫着、接着等の手段により土台布に接合されている。
【００２１】
次に、カップ部１０は、使用者のバストに対応した外形の略碗状又は略円錐状の部位であって、使用者のバストトップに対応したカップ頂上Ｔを含み、使用者の胸部の内寄りに位置する第１の領域１０ａと、使用者の胸部の外寄りに位置する第２の領域１０ｂとに区画される。
【００２２】
第１の領域１０ａは後述するカップ本体１１及びカップくり１４により構成され、第２の領域１０ｂはカップ本体１１及びカップくり１４並びに後述するマーキ１２により構成される。カップ部１０においては、単体で露出する上辺が縫着領域２０ｘにて縫着されることによりカップ本体１１、マーキ１２及び、後述する補強体１３が一体化する。土台布と重なる下辺はカップくり１４がカップ本体１１、マーキ１２及び補強体１３を挟み込んで土台布に縫着されることにより一体化する。
【００２３】
次に、図２及び図３を参照して、カップ部１０の構成を説明する。ただし図２はカップ部１０の構成を示す分解斜視図であり、図３（ａ）は、カップ部１０の構成を使用者の正面側からみた方向を正面としてＸ−Ｙ平面に投影した正面図であり、図３（ｂ）はカップ部１０の膨らみの方向をＺ軸とした底面図である。
【００２４】
図２に示すように、カップ部１０において、使用者に近い側から、カップ本体１１、マーキ１２、補強体１３及びカップくり１４がこの順で積層される。カップ本体１１は、上カップ１１ｘに対応するカップ布１１ａと、下カップ１１ｙに対応するカップ布１１ｂ及び１１ｃとを備える。カップ布１１ａ、１１ｂ及び１１ｃは、例として、ポリエステル、ナイロンを材料として用い、ダブルラッセル編み等により作成した部材、又は綿その他の不織布をナイロン織布又は編布等により被覆することにより作成した部材である。
【００２５】
カップ布１１ａ、１１ｂ及び１１ｃは、互いの各辺、角の一致する箇所がカップ頂上Ｔを形成するよう立体的に縫着されることにより、略碗状又は略円錐状の形状を有する。なお、カップ本体１１は３つのカップ布１１ａ、１１ｂ及び１１ｃから構成されるものとしたが、２つ又は４つ以上のカップ布から構成されるものとしてもよい。
【００２６】
次に、マーキ１２は、例として、ナイロン、ポリエステル等を材料とし、カップ本体１１と上カップ１１ｘ及び下カップ１１ｙのそれぞれの輪郭の一部を共有した略弧状の形状を有する部材であって、カップ本体１１の表面に重なり、カップ部１０における第２の領域１０ｂを構成する。マーキ１２は、上記材料を、例えばトリコット編み、又は天竺編み等の手段により作成して得られることにより、カップ本体１１よりも伸縮性が小さくなっている。したがってカップ部１０においては第１の領域１０ａは、第２の領域１０ｂよりも伸縮性、可撓性が大きく、より変形し易い構造となっている。
【００２７】
次に、補強体１３は、マーキ１２の表面に重なりカップ部１０における第２の領域１０ｂ上に位置する。
【００２８】
ここで図４（ａ）に補強体１３の構成を示す。図４（ａ）に示すように、補強体１３は、ポリエステル等のパイル生地素材により作成された筒状の保護スリーブ１３ａ、保護スリーブ１３ａに収容される、ポリエステル等の素材を筒状に巻き回してなる芯地１３ｂ、及び筒状の芯地１３ｂに更に収容された芯材１３ｃから構成され、カップ本体１１の表面に沿った面が扁平な帯状の部材である。
【００２９】
芯材１３ｃは、補強体１３に定形性と弾性を与える長大な帯状の部材であって、図４（ｂ）に示すスパイラルボーンにより実現される。ただし、芯材１３ｃはコイルボーンを用いるものとしてもよいし、合成樹脂、金属等の弾性を有する板状の部材を用いるものとしてもよい。
【００３０】
再度図４（ａ）を参照し、保護スリーブ１３ａにおいて芯材１３ｃの両端は、内部空間の終端である縫目１３ａ２に対して空隙１３ａ１を有した状態で位置しており、したがって、芯材１３ｃは保護スリーブ１３ａ内を移動可能な状態で収容され、これにより、保護スリーブ１３ａの収縮時に芯材１３ｃがスリーブの外にはみ出すことが妨げられる。
【００３１】
次に、図３（ａ）及び（ｂ）を参照して、カップ部１０における第１の領域１０ａ及び第２の領域１０ｂと、上述した各部との対応関係の説明を行う。ただし各図においてカップくり１４は省略して示した。
【００３２】
各図に示すように、第１の領域１０ａはカップ本体１１のみで構成され、第２の領域１０ｂは、カップ本体１１及びマーキ１２の積層体として構成される。ここで、カップ部１０における補強体１３の配置は、カップくり１４とともに土台布に縫着される余白部１３ｘを含む下端１３ｙが、カップ頂上Ｔを原点とするＸ−Ｙ平面において、下カップ１１ｙの輪郭上であって、使用者の胸部中央寄り（前中心部２０ａ寄り）に位置し、カップ頂上Ｔを使用者の胸部外寄り（腋布部２０ｂ寄り）に迂回して、上端１３ｚが上カップ１１ｘの輪郭上、すなわちカップ部１０の上辺に位置している。
【００３３】
更に、補強体１３の一方の側縁１３ｅ１は、カップ本体１１とマーキ１２の境界に一致して配置されて、他方の側縁１３ｅ２はマーキ１２の表面上に位置するよう配置される。これにより補強体１３はマーキ１２に積層された状態でカップ部１０に固定される。
【００３４】
すなわち、カップ部１０の第１の領域１０ａと第２の領域１０ｂとの境界１２ｅは、カップ頂上Ｔよりも下方にて位置し、下端がカップのカップ頂上Ｔより使用者の胸部内寄りであって、下端がカップのカップ頂上Ｔより使用者の胸部外寄りとなる曲線を形成している。
【００３５】
以上のような構成を有するブラジャー１において、カップ部１０は本発明のカップ部に相当し、第１の領域１０ａは本発明の第１の領域に相当し、第２の領域１０ｂは本発明の第２の領域に相当する。更に、補強体１３は本発明の主補強体に相当し、境界１２ｅ又は補強体１３の側縁１３ｅ１は本発明の境界に相当し、保護スリーブ１３ａは本発明の保護スリーブに相当し、芯材１３ｃは本発明の芯材に相当する。更に、カップ本体１１は本発明のカップ基材に相当し、マーキ１２は本発明の当て布材に相当する。
【００３６】
このような構成を有する本実施の形態のブラジャー１は、カップ部１０が第１の領域１０ａ及び第２の領域１０ｂにより区画され、各領域の境界１２ｅに沿って補強体１３が設けられたことを特徴とする。
【００３７】
すなわち、従来のブラジャー、とりわけハーフカップのストラップレスブラジャーにおいては、カップ単体の構造によりバストを造形する必要があるが、その効果は主にバストを身体の中心に向かって圧迫するよう変化させるに止まり、バストを十分に美感よく造形することは困難であった。
【００３８】
一方、３／４カップブラジャーのようなストラップ付きブラジャーにおいては、ストラップによりバストを持ち上げることにより、カップによる寄せの作用と併せてバストを造形するようにしているが、ストラップそのものがバストの美感を損ねることとなり、更にはストラップの負荷が使用者の肩に加わることとなってしまう。
【００３９】
本発明は、以上のような考察に基づきなされたものであって、上記特徴を備えたことにより、以下の効果を奏する。
【００４０】
図５は、図３（ａ）に示す上カップ１１ｘと下カップ１１ｙの境界線Ｂに一致する、カップ部１０のＡ−Ａ直線による模式的断面図である。図５に示すように、カップ部１０において、使用者の胸部内寄りの第１の領域１０ａはカップ本体１１単体により構成される一方、使用者の胸部外寄りの第２の領域１０ｂはカップ本体１１及びマーキ１２の積層体により構成され、更に補強体１３が付加されている。
【００４１】
これにより、ブラジャー１の着用時において、使用者のバストは第２の領域１０ｂによって押圧され、相対的に伸縮性、可撓性が大きい第１の領域１０ａ側へ向かって移動する。その結果、バストは、使用者の身体の腋側への移動、いわゆる腋流れが抑制されるとともに胸部中央に寄せられ、第１の領域１０ａをその法線方向Ｄ０に沿って膨張させるように変形する。
【００４２】
更に、カップ部１０においては、第１の領域１０ａと第２の領域１０ｂとの境界１２ｅに側縁１３ｅ１が一致するように補強体１３が設けられている。図３（ａ）及び（ｂ）にも示したように、補強体１３は下カップ１１ｙの胸部内寄り側からカップ頂上Ｔを迂回して上カップ１１ｘの胸部外寄り側に渡って配置されることにより、カップ部１０全体を、カップくり１４（図示省略）側からカップ部１０の上辺に向けて補強してバストを上方（使用者の頭側）に持ち上げるとともに、第１の領域１０ａの面積を上方に向かって漸近的に拡大させる。これにより、バストは下方から上方へ漸近的に膨張するように変形する。
【００４３】
上述した第１の領域１０ａ及び第２の領域１０ｂ並びに補強体１３の作用は、図６に示すように、使用者の身体１００においては、図中矢印Ｄ３により示すように、ストラップブラジャーにおける、ストラップによるバストの持ち上げ作用と同様に、使用者のバストを下方から押し上げる力として与えられ、更に胸部中央へ寄せる力としても与えられる。
【００４４】
その結果、バストの谷間の陰影が強調されるとともに、胸部のカップ部１０の上辺より上部の位置に膨張感が与えられ、バスト全体が美感よく造形される。
【００４５】
このように、本実施の形態によれば、カップ部１０のみでバストを美感よく造形することが可能となる。特にハーフカップのブラジャーとしてブラジャー１を実施した場合、ストラップが省略されることで、使用者の肩及び襟ぐりを大きく露出させて、使用者のバストを含めた上半身の美感を向上させる効果、及び使用者の肩への負担を低減する効果を併せて奏し、特に好適である。
【００４６】
更に、本実施の形態においては、補強体１３の芯材１３ｃとして、図４（ｂ）に示すスパイラルボーンを備えたことにより、以下の効果を奏する。すなわち、スパイラルボーンはその延伸方向に直交する平面上にほぼ等方的な弾性を有することにより、補強体１３は、カップ１０の表面に形状よく追従する帯状の主面をマーキ１２に接合した状態で、図５に示すように、カップ部１０の法線方向Ｄ１及び接線方向Ｄ２の双方において等方的な弾力をバストに与えている。
【００４７】
これにより、上述したカップ部１０によるバストの造形作用を、使用者の姿勢の変化に追従して維持することが可能となっている。すなわち、図６に示すように、ブラジャー１の着用時において、使用者の身体１００は図中矢印Ｒ１に示す背面から腹部へ向けての回転、図中矢印Ｒ２に示す両肩にかけての回転、及び図中矢印Ｒ１に示す、背骨を軸とする腰回りの回転の三種の異なる向きに沿って変化するが、これらいずれの向きに沿った変化が生じた場合であっても、補強体１３によりカップ部１０はバストに密接して、ブラジャー１と身体１００に隙間が生ずることを抑制し、バストの美感を恒常的に保つことができる。
【００４８】
なお、補強体１３は、少なくとも図５の接線方向Ｄ２における弾力を有することが望ましく、この場合、特に図６中矢印Ｒ２に示す両肩にかけての回転を含む使用者の姿勢の変化への追従性を確保することが可能となる。
【００４９】
更に、以上の効果は、使用者にとっては、あたかもバストが掌により常時下方から支えられているかのような感触として受容され、肩への負担が低減されるともに、快適な装着感が与えられるもので、ひいてはブラジャー１の長期間の着用を可能としている。
【００５０】
このように、本発明の実施の形態１のブラジャー１は、カップ部１０が第１の領域１０ａ及び、第１の領域１０ａより伸縮性が大きい第２の領域１０ｂにより区画されるとともに、弾性を有する補強体１３が各領域の境界１２ｅに沿って設けられたことにより、バストを上げて、且つ寄せて、美感よく造形することを可能としている。
【００５１】
しかしながら、本発明は上記の実施の形態により限定されるものではない。
【００５２】
上記の説明においては、カップ部１０における補強体１３の位置は、第２の領域１０ｂをなすマーキ１２上であって、一方の側縁１３ｅ１が、第１の領域１０ａと第２の領域１０ｂとの境界１２ｅに一致するものとした。
【００５３】
一方で、補強体１３は、図７（ａ）に示すように、第１の領域１０ａをなすカップ本体１１上であって、他方の側縁１３ｅ２が、第１の領域１０ａと第２の領域１０ｂとの境界１２ｅに一致するものとしてもよい。更に、補強体１３は、図７（ｂ）に示すように、第１の領域１０ａと第２の領域１０ｂとの境界１２ｅに跨って配置されるものであるとしてもよく、図７（ｃ）に示すように、一方の側縁１３ｅ１及び他方の側縁１３ｅ２の双方が第２の領域１０ｂをなすマーキ１２上に配置されるものとしてもよく、いずれの配置によっても上記の実施の形態と同様の効果を奏する。なお、図７（ｃ）の場合においては、補強体１３の一方の側縁１３ｅ１上にてカップ本体１１とマーキ１２を縫着させて、第１の領域１０ａと第２の領域１０ｂとの境界１２ｅをカップ本体１１上にフロートさせる構成としてもよい。
【００５４】
更に、補強体１３の一方の側縁１３ｅ１又は他方の側縁１３ｅ２は、第１の領域１０ａと第２の領域１０ｂとの境界に一致した配置に限定されず、近接又は隣接した配置であるとしてもよく、これによっても上記実施の形態と同様の効果を奏する。ただし、近接とは、型紙を定めるさいにあらかじめ設定可能な程度の寸法であることを意味し、隣接とは、型紙にあらかじめ設定された寸法でなくとも、縫着時の誤差又は公差程度の寸法に収まっていることを意味する。
【００５５】
更に、本発明は、カップ部において複数の補強体を備えた構成としてもよい。図８に示すブラジャー２は、第２の領域１０ｂをなすマーキ１２上に、補強体１３に平行で、カップくり１４からカップ部１０の上辺まで延伸してなる、補強体１３と同一構成を有する補強体１５を更に備える。これにより、第２の領域１０ｂが補強され、バスト造形の効果を向上させることが可能となる。
【００５６】
カップサイズが大きくなると第２の領域１０ｂは面積が拡大し、伸縮性が増大して、カップ布及びマーキによるバスト押圧及び補強体による持ち上げの効果が減じされるところ、補強体１５を設けることにより、バスト押圧及び持ち上げの効果を良好に維持することができる。したがって、カップサイズの大小にかかわらず本発明の効果を好適に発揮することが可能となる。なお、補強体１３と補強体１５の構成は異なっていてもよく、例えば補強体１５の芯材として合成樹脂製のボーンを用いるようにしてもよい。
【００５７】
なお、上記の説明において、補強体１５は本発明の副補強体に相当するが、補強体１５はカップの大きさに対応して複数本設ける構成としてもよい。さらに、補強体１５は補強体１３に平行に設けるとしたが、交差する向きに設ける構成としてもよい。
【００５８】
更に、上記の説明においては、本発明のカップ部は、カップ部１０として、使用者に近い側から、カップ本体１１、マーキ１２及び補強体１３がこの順で積層される構成としたが、本発明のカップ部は第１の領域及び第２の領域を有していればよく、各領域の具体的な構成によって限定されるものではない。したがって、カップ本体１１、マーキ１２及び補強体１３は任意の順で積層される構成としてもよい。
【００５９】
更に、上記の説明においては、本発明のカップ部は、カップ部１０として、カップ本体１１から構成される第１の領域、及びカップ本体１１、マーキ１２の積層体から構成される第２の領域を有するものとしたが、本発明のカップ部は第１の領域及び第２の領域を有していればよく、各領域の具体的な構成によって限定されるものではない。したがって、第１の領域及び第２の領域は、同一のカップ基材における伸縮性の部位の異なりとして構成されるものであってもよい。具体的には、カップ本体１１を構成するカップ布の一部を第２の領域に対応させ、第１の領域に対応する残りの部分よりも伸縮性が小さい素材、又は伸縮性が小さい織布、編布等により作成することにより、本発明の上記効果を奏することが可能となる。
【００６０】
更に、上記の説明においては、本発明の主補強体は、マーキ１２に縫着される別部材としての補強体１３として説明を行ったが、本発明の補強体は、第１の境界と第２の境界に沿って延在していればよく、その具体的な構成によって限定されるものではない。したがて、上記実施の形態の、保護スリーブ及び芯材による構成の他、合成繊維の織布、不織布等を縫製してなる部材として構成されていてもよいし、第１の境界と第２の境界とを縫合する縫合糸の集合体として構成されていてもよい。
【００６１】
更に、上記の説明においては、カップ付き衣類は、ブラジャー１等としてカップ部が台布部に縫着又は接着された、所謂台倒しの構成であるとしたが、カップ部と他の部分との具体的な結合の態様によって限定されるものではなく、下縁部２０ｙを省略してカップくり１４が土台布の縁に達した、所謂カップ倒しの態様であるとしてもよい。
【００６２】
更に、ブラジャー１はハーフカップのブラジャーであるとしたが、本発明は、例えば３／４カップのブラジャーとして実現してもよく、カップの種類により限定されるものではない。
【００６３】
しかしながら、本発明は、上記の説明のように、ストラップレスの構成において、ストラップによるバスト持ち上げに相当する作用を、カップ部の構成により実現することを特徴とする。したがって、本発明が、ハーフカップ又はストラップレスに対応したカップを備えたブラジャーにおいて適用されることは、使用者のバストを含めた上半身の美感を向上させる効果、及び使用者の肩への負担を低減する効果を併せて奏し、より好適である。
【００６４】
更に、上記の説明においては、一対のカップ部１０の双方に第１の領域１０ａ及び第２の領域１０ｂ並びに補強体１３を備えた構成としたが、本発明は、少なくとも一方のカップ部に各領域及び補強体を備えた構成であればよい。
【００６５】
更に、上記の説明においては、本発明のカップ付き衣類は、ブラジャー１であるとして説明を行ったが、本発明は、一対のカップ部を有する衣類であればよく、その他の用途、構成によって限定されるものではない。したがって、ブラジャーの他、ビスチェ、チュチュ、ボディシェイパー、ボディスーツその他のファウンデーション又はランジェリーとして実施してもよい。更に、下着類の他、ドレス等として実施してもよい。
【００６６】
本発明によれば、上記の説明のように、ストラップレスの構成においてカップ部のみでバストを上げて、且つ寄せて、美感よく造形することができ、使用者の肩及び襟ぐりを大きく露出させて美感を向上させ、かつ使用者の肩への負担を低減する効果を併せて奏することができるため、ストラップレスブラジャー、ボティシェイパ−等の他、肩紐（ストラップ）を必要としないイヴニングドレスに好適である。ただし、肩がバストからの負荷を受けることを目的としない装飾用のストラップを設ける構成としてもよい。
【００６７】
要するに、本発明は、その要旨を逸脱しない範囲内であれば、以上説明したものを含め、上記実施の形態に種々の変更を加えたものとして実施してもよい。
【産業上の利用可能性】
【００６８】
以上のような本発明は、バストを美感よく造形することが可能になる効果を有し、例えばハーフカップブラジャーのようなカップ付き衣類において有用である。
【符号の説明】
【００６９】
１、２  ブラジャー
１０  カップ部
１０ａ  第１の領域
１０ｂ  第２の領域
１１  カップ本体
１１ａ、１１ｂ  カップ布
１１ｘ  上カップ
１１ｙ  下カップ
１２  マーキ
１２ｅ  境界
１３、１５  補強体
１３ａ  保護スリーブ
１３ｂ  芯地
１３ａ１  空隙
１３ｃ  芯材
１３ａ２  縫目
１３ｅ１、１３ｅ２  側縁
１３ｘ  余白部
１３ｙ  下端
１３ｚ  上端
１４  カップくり
２０ａ  前中心部
２０ｂ  腋布部
２０ｃ  バック部
２０ｘ  縫着領域
２０ｙ  下縁部
２２  サイドボーン
１００  身体
【図１】
2016079508.tif 000003
【図２】
2016079508.tif 000004
【図３】
2016079508.tif 000005
【図４】
2016079508.tif 000006
【図５】
2016079508.tif 000007
【図６】
2016079508.tif 000008
【図７】
2016079508.tif 000009
【図８】
2016079508.tif 000010